(57)【要約】      （修正有）【課題】指の複雑な動きに追従して装着感がよく、しかも美観に優れた環状装身具の提供。【解決手段】複数のリング体１ａ〜１ｄと連結部２を備えており、リング体１ａ〜１ｄは、各々が重なって配置してあり、連結部２は、重なって隣接する一方のリング体１ａと他方のリング体１ｂを連結するものであり、一方のリング体１ａに連結可動部を有するとともに、他方のリング体１ｂに被連結可動部を有しており、連結可動部と被連結可動部は、遊びをもった状態で連結してあり、一方のリング体１ａと他方のリング体１ｂを開閉、揺動及びいずれかのリング体１ａ〜１ｄ、に沿って移動する。【選択図】図１
2016123786.tif 000002
【特許請求の範囲】
【請求項１】
複数のリング体と、連結部と備えており、リング体は、各々が重なって配置してあり、連結部は、重なって隣接する一方のリング体と他方のリング体を連結するものであり、一方のリング体に連結可動部を有するとともに、他方のリング体に被連結可動部を有しており、
連結可動部と被連結可動部は、遊びをもった状態で連結してあり、一方のリング体と他方のリング体を開閉、揺動及びいずれかのリング体に沿って移動することを特徴とする環状装身具。
【請求項２】
連結部は、連結可動部と被連結可動部がそれぞれリング体とほぼ同一形状をなすリング状をなしており、連結可動部と被連結可動部が遊びをもった状態で連結していることを特徴とする請求項１記載の環状装身具。
【請求項３】
複数のリング体と、連結部材と備えており、リング体は、各々が重なって配置してあるとともに連結可動部を有しており、
連結部材は、複数の被連結可動部を有しており、重なって隣接する一方のリング体と他方のリング体を連結するものであり、
各リング体の連結可動部は、連結部材の被連結可動部に遊びをもった状態で連結してあり、連結部材が各リング体を開閉、揺動及びいずれかのリング体に沿って移動することを特徴とする環状装身具。
【発明の詳細な説明】
【技術分野】
【０００１】
本発明は、おもに指などに装着する環状装身具に関するものである。
【背景技術】
【０００２】
指輪や腕輪に代表される環状をなす装身具は、古来より様々な態様のものがある。その中で特開２００６−２９６７４４号公報に開示されるような、複数のリング体を重ねた環状装身具があった。
【先行技術文献】
【特許文献】
【０００３】
特開２００６−２９６７４４号公報
【発明の概要】
【発明が解決しようとする課題】
【０００４】
上記の特許文献に開示されるようなリング体を重ねる構造の環状装身具を関節に跨って嵌めた場合には、単純な指の曲げ伸ばしには追従するが、その指の曲げ伸ばしに伴う指の筋肉の複雑な動きに対しては、各リング体が追従しないことから、指に嵌めたときの拘束感が強くなってしまう。これにより、一般的な単一のリング体からなる環状装身具のように、指の関節以外の箇所に装着することに制限されることから、複数のリング体を連結する独創的な構造を生かせず不満が残るものであった。
【０００５】
本発明は上記課題を鑑みてなされたものであり、指の複雑な動きに追従して装着感がよく、しかも美観に優れた環状装身具を提供することにある。
【課題を解決するための手段】
【０００６】
本発明の請求項１記載の発明は、複数のリング体と、連結部と備えており、リング体は、各々が重なって配置してあり、連結部は、重なって隣接する一方のリング体と他方のリング体を連結するものであり、一方のリング体に連結可動部を有するとともに、他方のリング体に被連結可動部を有しており、連結可動部と被連結可動部は、遊びをもった状態で連結してあり、一方のリング体と他方のリング体を開閉、揺動及びいずれかのリング体に沿って移動することを特徴とする。
【０００７】
本発明の請求項２記載の発明では、連結部は、連結可動部と被連結可動部がそれぞれリング体とほぼ同一形状のリング状をなしており、連結可動部と連被連結可動部が遊びをもった状態で連結していることを特徴とする。
【０００８】
本発明の請求項３記載の発明では、複数のリング体と、連結部材と備えており、リング体は、各々が重なって配置してあるとともに連結可動部を有しており、連結部材は、複数の被連結可動部を有しており、重なって隣接する一方のリング体と他方のリング体を連結するものであり、各リング体の連結可動部は、連結部材の被連結可動部に遊びをもった状態で連結してあり、連結部材が各リング体を開閉、揺動及びいずれかのリング体に沿って移動することを特徴とする。
【発明の効果】
【０００９】
本発明のうち請求項１記載の発明によれば、複数のリング体が重なった構成であっても、環状装身具を指に嵌めたときに、指を曲げる方向とほぼ同一方向に各リング体が回動して追従する他、連結部を構成する連結可動部が被連結可動部に遊びをもった状態で連結してあることで、隣り合う一方のリング体と他方のリング体が開閉方向とは相違する方向にスライド移動、さらには、自在に揺動する。これにより、環状装身具を嵌めた指を曲げ伸ばしたときの指の筋肉の微妙で複雑な動きにまでも対応して各リング体が追従することから、指に嵌め心地がよく、しかも、リング体が複数重なった構造を有する美観を伴う環状装身具を提供できる。
【００１０】
本発明のうち請求項２記載の発明によれば、リング体同士の連結部として径の小さなリング体で連結することにより、リングのみで構成される外観意匠の連続性を有することになる。これにより、指に嵌めたときの装着感と環状装身具としての美観を両立させることができる。
【００１１】
本発明のうち請求項３記載の発明によれば、リング体とは独立した連結部材を用いても、指の曲げ伸ばしや、それに伴う指の筋肉の微妙な動きに追従して各リング体を自在に動かすことができるので、上記の本願発明の各機能を有したまま、様々な外観意匠性をもつ環状装身具として展開できる。
【図面の簡単な説明】
【００１２】
【図１】本実施による環状装身具の使用状態を示す斜視図である。
【図２】本実施による環状装身具を示す（ａ）は、斜視図であり、（ｂ）は、Ａ−Ａ線断面図である。
【図３】（ａ）（ｂ）は、図２中Ｂを拡大して示す連結部の作動状態を示す正面図である。
【図４】本発明の環状装身具の他の実施形態を示す（ａ）は、斜視図であり（ｂ）は、Ｃ−Ｃ線断面図である。
【図５】（ａ）（ｂ）は、図４中Ｄを拡大して環状装身具の連結部の作動状態を示す一部を縦断面した正面図である。
【図６】本発明の環状装身具の他の実施形態を示す（ａ）は、斜視図であり、（ｂ）は、（ａ）中Ｅ−Ｅ線を断面して拡大した図であり、（ｃ）は、（ａ）中Ｆを拡大して一部を縦断面したリング体と連結部材との作動状態を示す図である。
【発明を実施するための形態】
【００１３】
以下に、図面に基づいて本実施による環状装身具の実施の形態を説明する。
本実施による環状装身具は、図１のように、指Ｓを通す孔を有する複数のリング体１ａ〜１ｄと、各リング体１ａ〜１ｄの連結部２とか構成してある。また、本実施では、四つのリング体１ａ〜１ｄが積み重なって配置されており、さらに、連結部２は、積み重なった状態で隣り合うリング体１ａ〜１ｄの間にそれぞれ設けてある。
【００１４】
上記の四つの各リング体１ａ〜１ｄは、図２（ａ）（ｂ）のように、本実施のものではほぼ円形状をなしており、いずれのリング体１ａ〜１ｄの内径もほぼ同一の寸法となっている。また、各リング体１ａ〜１ｄは、指Ｓに嵌めたときに、いずれかのリング体１ａ〜１ｄの指を通す孔の内周部が指Ｓに当たるような孔径に設定されている。さらに、各リング体１ａ〜１ｄの断面形状は角が丸いほぼ矩形状をなしており、その外周部には装飾などが施されている。
【００１５】
連結部２は、図３（ａ）（ｂ）のように、積み重なって隣接する一方のリング体（以下、図中のリング体１ａのみを記載する）１ａの側にある連結可動部４ａ，４ｂと、隣接する他方のリング体１ｂの側にある被連結可動部５ａ，５ｂとから構成してある。連結可動部４ａ，４ｂは、一方のリング体１ａの周方向に沿って間隔をあけた二箇所に設けてある持ち出し部４ａと、各持ち出し部４ａの間に架設する軸部４ｂとを有している。また、被連結可動部５ａ，５ｂは、隣接する他方のリング体１ｂに軸受部５ａが設けてあり、上記の軸受部５ａには軸通し孔５ｂが設けてある。そして、連結可動部４ａ，４ｂの軸部４ｂが被連結可動部５ａ，５ｂの軸通し孔５ｂに対して遊びをもった状態で緩く挿通している。これにより、被連結可動部５ａ，５ｂは、連結可動部４ａ，４ｂの軸部４ｂを中心とする回動、及び軸部４ｂの軸方向に沿ったスライド移動、さらには、軸部４ｂを支点に揺動することができる。このことから、四つの各リング体１ａ〜１ｄは、本実施による環状装身具を指Ｓに嵌めたとき、指Ｓの曲げ伸ばしに追従して連結部２を構成する連結可動部４ａ，４ｂと被連結可動部５ａ，５ｂとともに開閉する。さらに、指Ｓの曲げ伸ばしに伴って、指Ｓの筋や筋肉の複雑な動きに追従して被連結可動部５ａ，５ｂの軸受部５ａが、連結可動部４ａ，４ｂの軸部４ｂに沿って自在にスライド移動し、さらに、軸部４ｂを支点に自在な方向に揺動することにより、連結部２と連動した一方のリング体１ａと他方のリング体１ｂが指Ｓへの装着時の拘束感を与えないものとなる。
【００１６】
図４（ａ）（ｂ）は、本発明の環状装身具の他の実施形態である。本実施による環状装身具は、指Ｓに嵌める複数のリング体１１ａ〜１１ｃをそれぞれ連結する連結部１２の連結可動部１３と被連結可動部１４の構造が上記の実施形態とは相違している。具体的に、連結可動部１３と被連結可動部１４は、それぞれリング体１１ａ〜１１ｃと形状がほぼ同一となる径の小さなリング状をなしており、このことから、本実施による環状装身具は、大小のリングが連続するような外観意匠となる。これにより、本実施の環状装身具を指Ｓに嵌めたときに、装飾品としての外観意匠性や美観を向上させることができる。そして、機能面においても、図５（ａ）（ｂ）のように、互いがリング状なす連結可動部１３と被連結可動部１４によって、各リング体１１ａ〜１１ｃは、リング状をなす連結可動部１３の周部に沿ういずれかの箇所を支点として被連結可動部１４が回動するとともに、連結可動部１３の周部に沿って被連結可動部１４がスライド移動する。さらに、リング状をなす連結可動部１３の周部に沿って被連結可動部１４が自在な方向に揺動することで、各リング体１１ａ〜１１ｃを指Ｓの複雑な動きに追従させるという、本発明の環状装身具の作用と効果も達成される。
【００１７】
本発明の環状装身具として、図６（ａ）（ｂ）のように、各リング体２１ａ〜２１ｄのそれぞれの任意の箇所に他部よりも径の細い絞り部（連結可動部）６を設けてある。また、連結部材２２は、積み重なった各リング体２１ａ〜２１ｄに跨って長く形成してあり、さらに、連結部材２２の長手方向に間隔をあけて複数の長孔（被連結可動部）７が設けてある。そして、各リング体２１ａ〜２１ｄのそれぞれの絞り部６の外周を囲むように連結部材２２の各長孔７が挿通するものである。このように形成しても、図６（ｃ）のように、重なったときに隣り合うリング体２１ａ〜２１ｄの間は連結部材２２で開閉するとともに、各リング体２１ａ〜２１ｄの絞り部６の幅方向に連結部材２２がスライド移動、さらには、絞り部６を支点にリング体２１ａ〜２１ｄが揺動する。
【００１８】
本発明の装身具は、上記の各実施形態で説明した指輪などの指Ｓに嵌める態様の環状装身具として特に適するものであるが、ブレスレットや腕輪のように、使用者の関節に跨って嵌められる環状装身具全般の適用も可能である。また、リング体１ａ〜１ｄ、１１ａ〜１１ｃ、２１ａ〜２１ｄの形状は、上記実施形態のように円形のものの他、指Ｓに嵌めることができれば矩形状や多角形のものでもよい。さらに、リング体１ａ〜１ｄ、１１ａ〜１１ｃ、２１ａ〜２１ｄの数についても連結部２，１２、連結部材２２が必要な二つ以上あればよい。また、連結部２，１２と連結部材２２は、重なりあって隣接する各リング体１ａ〜１ｄ、１１ａ〜１１ｃ、２１ａ〜２１ｄの間に、ほぼ同一方向に直列に配置されていればよい。これにより、指Ｓの曲げ伸ばしへの追従と、指Ｓの曲げ伸ばしに伴う筋肉や筋の動きにも追従できる。仮に連結部２，１２と連結部材２２がリング体１ａ〜１ｄ、１１ａ〜１１ｃ、２１ａ〜２１ｄごとに統一感がなくバラバラの位置に配置してあれば、指Ｓの動きに追従できなくなる。さらに、連結部２と連結部材２２は、重なって隣り合う一方のリング体１ａ〜１ｄ、１１ａ〜１１ｃ、２１ａ〜２１ｄに連結可動部４ａ，４ｂ，６，１３が設けてあり、他方のリング体１ａ〜１ｄ、１１ａ〜１１ｃ、２１ａ〜２１ｄに被連結可動部５ａ，５ｂが設けてあるが、連結可動部４ａ，４ｂ，６、１３と被連結可動部５ａ，５ｂ、７、１４の形状や大きさについては、本願の特許請求の範囲に記載する環状装身具の作用、効果を奏する構造をなすものであれば、限定されるものではない。連結部２，１２は、上記実施形態のようにリング体１ａ〜１ｄ、１１ａ〜１１ｃと一体的に設けてある他、リング体１ａ〜１ｄ、１１ａ〜１１ｃとは別に形成してあってもよい。
【符号の説明】
【００１９】
１ａ〜１ｄ、１１ａ〜１１ｃ、２１ａ〜２１ｄ  リング体  
１ａ  一方のリング体
１ｂ  他方のリング体
２，１２  連結部
４ａ  持ち出し部（連結可動部）
４ｂ  軸部（連結可動部）
５ａ  軸受部（被連結可動部）
５ｂ  軸通し孔（被連結可動部）
６  絞り部（連結可動部）
７  長孔（被連結可動部）
１３  連結可動部
１４  被連結可動部
２２  連結部材
Ｓ  指
【図１】
2016123786.tif 000003
【図２】
2016123786.tif 000004
【図３】
2016123786.tif 000005
【図４】
2016123786.tif 000006
【図５】
2016123786.tif 000007
【図６】
2016123786.tif 000008